(57)【要約】【課題】胴部を把持できない患者や把持力の弱い患者であっても、握り押しボタン式子機の押しボタンを容易に操作することができる握り押しボタン用アタッチメントを提供する。【解決手段】胴部３１に設けられた押しボタン３３を上方へ向けた姿勢で子機２を装着可能な基台部材４と、装着された子機２の上方を覆うとともに、下方へ押し下げ操作可能に基台部材４に取り付けられる操作部材３とを有しており、操作部材３の押し下げ操作に伴い、間接的に子機２の押しボタン３３を押し込み操作可能とした。したがって、子機２の胴部３１を把持せずとも、操作部材３を押し下げ操作するだけで子機２の押しボタン３３を操作することができ、子機２の胴部３１を把持できない患者や把持力の弱い患者であっても、子機の押しボタン３３を容易に操作することができる。【選択図】図２
2015066226.tif 000002
【特許請求の範囲】
【請求項１】
胴部に押しボタンを備えた握り押しボタン式子機を、前記押しボタンを上方へ向けた姿勢で装着可能な基台部材と、
装着された前記握り押しボタン式子機の上方を覆うとともに、下方へ押し下げ操作可能に前記基台部材に取り付けられる操作部材とを有しており、
前記操作部材の押し下げ操作に伴い、直接的若しくは間接的に前記握り押しボタン式子機の前記押しボタンを押し込み操作可能としている一方、
前記基台部材と前記握り押しボタン式子機との何れか一方に位置決め突起を、何れか他方に、前記握り押しボタン式子機を装着した際に前記位置決め突起が挿通する位置決め孔を夫々設け、
さらに、前記基台部材に、前記握り押しボタン式子機を装着するにあたり前記胴部を挟持する一対の挟持片を設けるとともに、前記握り押しボタン式子機を装着した際に、前記握り押しボタン式子機の先端面に当接する当接リブを設けたことを特徴とする握り押しボタン用アタッチメント。
【発明の詳細な説明】
【技術分野】
【０００１】
本発明は、たとえばナースコールシステムで使用される握り押しボタン式子機等が装着される握り押しボタン用アタッチメントに関するものである。
【背景技術】
【０００２】
従来、たとえばナースコールシステムでは、患者が医療従事者を呼び出すための装置として握り押しボタン式子機が使用されることがある。この握り押しボタン式子機としては、患者が握る柱状の胴部と、胴部の先端に設けられ、呼出時に押し込み操作する押しボタンとを備えてなるものが広く知られている（たとえば特許文献１）。
【先行技術文献】
【特許文献】
【０００３】
【特許文献１】特開２００５−５８４５５号公報
【発明の概要】
【発明が解決しようとする課題】
【０００４】
しかしながら、特許文献１に記載されているような握り押しボタン式子機は、押しボタンを押し込み操作するにあたり胴部を把持しなければならないため、胴部を把持できない患者や把持力の弱い患者にしてみると使いづらいという問題がある。
【０００５】
そこで、本発明は、上記問題に鑑みなされたものであって、胴部を把持できない患者や把持力の弱い患者であっても、握り押しボタン式子機の押しボタンを容易に操作することができる握り押しボタン用アタッチメントを提供しようとするものである。
【課題を解決するための手段】
【０００６】
上記目的を達成するために、本発明のうち請求項１に記載の発明は、胴部に押しボタンを備えた握り押しボタン式子機を、前記押しボタンを上方へ向けた姿勢で装着可能な基台部材と、装着された前記握り押しボタン式子機の上方を覆うとともに、下方へ押し下げ操作可能に前記基台部材に取り付けられる操作部材とを有しており、前記操作部材の押し下げ操作に伴い、直接的若しくは間接的に前記握り押しボタン式子機の前記押しボタンを押し込み操作可能としている一方、前記基台部材と前記握り押しボタン式子機との何れか一方に位置決め突起を、何れか他方に、前記握り押しボタン式子機を装着した際に前記位置決め突起が挿通する位置決め孔を夫々設け、さらに、前記基台部材に、前記握り押しボタン式子機を装着するにあたり前記胴部を挟持する一対の挟持片を設けるとともに、前記握り押しボタン式子機を装着した際に、前記握り押しボタン式子機の先端面に当接する当接リブを設けたことを特徴とする。
この構成によれば、胴部に押しボタンを備えた握り押しボタン式子機を、押しボタンを上方へ向けた姿勢で装着可能な基台部材と、装着された握り押しボタン式子機の上方を覆うとともに、下方へ押し下げ操作可能に基台部材に取り付けられる操作部材とを有しており、操作部材の押し下げ操作に伴い、直接的若しくは間接的に握り押しボタン式子機の押しボタンを押し込み操作可能としている。したがって、握り押しボタン式子機の胴部を把持できない患者や把持力の弱い患者であっても、握り押しボタン式子機の押しボタンを容易に操作することができる。
また、基台部材と握り押しボタン式子機との何れか一方に位置決め突起を、何れか他方に、握り押しボタン式子機を装着した際に位置決め突起が挿通する位置決め孔を夫々設け、さらに、基台部材に、握り押しボタン式子機を装着するにあたり胴部を挟持する一対の挟持片を設けるとともに、握り押しボタン式子機を装着した際に、握り押しボタン式子機の先端面に当接する当接リブを設けている。したがって、装着された握り押しボタン式子機の回転やがたつき、脱落等を確実に防止することができ、操作部材の押し下げ操作に伴い、握り押しボタン式子機の押しボタンを確実に押し込み操作させることができる。
【発明の効果】
【０００７】
本発明によれば、胴部に押しボタンを備えた握り押しボタン式子機を、押しボタンを上方へ向けた姿勢で装着可能な基台部材と、装着された握り押しボタン式子機の上方を覆うとともに、下方へ押し下げ操作可能に基台部材に取り付けられる操作部材とを有しており、操作部材の押し下げ操作に伴い、直接的若しくは間接的に握り押しボタン式子機の押しボタンを押し込み操作可能としている。したがって、握り押しボタン式子機の胴部を把持できない患者や把持力の弱い患者であっても、握り押しボタン式子機の押しボタンを容易に操作することができる。
また、基台部材と握り押しボタン式子機との何れか一方に位置決め突起を、何れか他方に、握り押しボタン式子機を装着した際に位置決め突起が挿通する位置決め孔を夫々設け、さらに、基台部材に、握り押しボタン式子機を装着するにあたり胴部を挟持する一対の挟持片を設けるとともに、握り押しボタン式子機を装着した際に、握り押しボタン式子機の先端面に当接する当接リブを設けている。したがって、装着された握り押しボタン式子機の回転やがたつき、脱落等を確実に防止することができ、操作部材の押し下げ操作に伴い、握り押しボタン式子機の押しボタンを確実に押し込み操作させることができる。
【図面の簡単な説明】
【０００８】
【図１】握り押しボタン用アタッチメントの外観を示した斜視説明図である。
【図２】握り押しボタン式子機を装着した握り押しボタン用アタッチメントの操作部材が基台部材に対して起立した状態を示した斜視説明図である。
【図３】握り押しボタン式子機に装着された握り押しボタン用アタッチメントの操作部材が基台部材に対して起立した状態を別の角度から示した斜視説明図である。
【図４】握り押しボタン式子機を装着した握り押しボタン用アタッチメントを下方から示した斜視説明図である。
【図５】握り押しボタン式子機が装着されていない握り押しボタン用アタッチメントの操作部材が基台部材に対して起立した状態を示した斜視説明図である。
【図６】握り押しボタン式子機が装着されていない握り押しボタン用アタッチメントを下方から示した斜視説明図である。
【図７】握り押しボタン用アタッチメントの基台部材を示した斜視説明図である。
【図８】握り押しボタン式子機の外観を示した斜視説明図である。
【図９】握り押しボタン式子機を短軸方向から示した説明図である。
【図１０】操作部材を押し下げ操作していない状態における押しボタン部での断面を示した説明図である。
【図１１】操作部材を押し下げ操作した状態における押しボタン部での断面を示した説明図である。
【発明を実施するための形態】
【０００９】
以下、本発明の一実施形態となる握り押しボタン用アタッチメント（以下、アタッチメントと称す）と握り押しボタン式子機（以下、子機と称す）について、図面にもとづき詳細に説明する。
【００１０】
まず、アタッチメント１について説明する。
図１は、アタッチメント１の外観を示した斜視説明図である。図２及び図３は、子機２を装着したアタッチメント１の斜視説明図であり、操作部材３が基台部材４に対して起立した状態を示している。図４は、子機２を装着したアタッチメント１を下方から示した斜視説明図である。図５は、子機２が装着されていないアタッチメント１の斜視説明図であり、操作部材３が基台部材４に対して起立した状態を示している。図６は、子機２が装着されていないアタッチメント１を下方から示した斜視説明図である。図７は、アタッチメント１の基台部材４を示した斜視説明図である。
【００１１】
アタッチメント１は、子機２が装着されるものであって、子機２を収納状態で装着可能な基台部材４と、基台部材４の上面を覆うように取り付けられる操作部材３とを備えてなる。操作部材３は、患者等の使用者が押し下げ操作する操作部５と、操作部材３を押し下げ操作可能に基台部材４へ取り付けるための軸部６とを有している。操作部５は、上面視略円形の上面部と、上面部の外周縁から下方へ突設された周壁部とを有するカバー状に形成されている。そして、周壁部の内面側で、基台部材４へ取り付けた際に係止爪２５、２５の上方となる位置には、係止爪２５、２５が係止可能な被係止部７、７が設けられている。また、操作部５の上面部の内面側には、操作部材３を押し下げ操作した際、子機２の押しボタン３３、３４を押し込み操作するための合成樹脂製の押し込み部材８が取り付けられている。
【００１２】
押し込み部材８は、上方へ膨出する帯状に形成された押し込み片９と、所定方向へ長い平らな帯状に形成された一対の撓み片１０、１０とを備えてなり、平行に配された撓み片１０、１０の一端側同士を連結するように押し込み片９が架設された形状となっている。また、各撓み片１０の他端側には、押し込み部材８を操作部５の内面側へネジ止めするためのネジ孔（図示せず）が形成されている。該押し込み部材８は、操作部５の内面側に下方へ突設されたボスの先端に撓み片１０、１０の他端側をネジ止めし、この他端側のみを操作部５の内面側に当接させた状態で、且つ、撓み片１０、１０が操作部材３の回動軸方向に直交する方向へ延びるような姿勢で取り付けられる。なお、１２は、操作部材３を押し下げ操作した際に、押し込み部材８の位置ずれを防止するとともに、押し込み部材８の変形方向を抑制するための規制リブである。
【００１３】
さらに、操作部５の周壁部の一部は径方向外側へ突出しており、当該突出部が軸部６となっている。そして、該軸部６の側面に、基台部材４に軸支される長円状の回動軸（図示せず）が突設されている。また、操作部５の内面側で軸部６及び軸部６近傍となる位置には、操作部材３の回動軸方向に直交する方向へ延びる第１リブと、該第１リブに直交する第２リブとからなる後面視十字状の十字リブ１１が下方へ突設されている。そして、該十字リブ１１の第１リブで軸部６側となる端部は、操作部材３が押し下げ操作された際、操作部材３の回動を案内する案内機構として機能する。また、該十字リブ１１の第１リブと第２リブとの交差部は、図１に示す如き使用状態とした際、基台部材４に装着されている子機２の基端部に上方から当接し、子機２の回転を防止するための回転防止機構として機能する。
【００１４】
一方、基台部材４は、操作部材３よりも一回り大きな略円形のケース状に形成されており、操作部材３を取り付けるための軸支部１５や子機２を装着可能な装着部１６等を備えてなる。軸支部１５は、基台部材４の外壁部の一部を、軸部６を受け入れ可能な幅にわたって下方へ凹ませてなる凹部であり、操作部材３の回動軸方向で対向する側面部には、回動軸を軸支するための一対の軸孔１７、１７が設けられている。また、軸支部１５の底面中央には、操作部材３の回動軸方向に直交する方向へ延びるコード収納溝１８が凹設されている。このコード収納溝１８は、装着部１６に装着される子機２のコード３８をアタッチメント１外へ引き出すためのものである。また、コード収納溝１８に沿って一対の案内壁１９、１９が上方へ突設されている。そして、軸支部１５に軸部６を取り付けた際、上記十字リブ１１の第１リブで軸部６側となる端部が、案内壁１９、１９間へ嵌まり込むことで案内機構が構成されるようになっている。したがって、操作部材３は、そのような案内機構によって案内されながら、押し下げ操作に伴い初期位置から下方へ回動し、また押し下げ操作の解除に伴い初期位置まで上方へ回動することになる。
【００１５】
また、基台部材４の内部には底上げされた底上げ部２６が設けられており、該底上げ部２６に装着部１６が備えられている。装着部１６は、軸支部１５から操作部材３の回動軸方向に直交する方向へ延びる凹状部であって、該凹状部の短手方向の幅が、子機２の短軸方向での幅と同じとなっており、子機２を所定の姿勢とした際にのみ受け入れ可能な形状となっている。また、装着部１６の長手方向で軸支部１５側の端部となる位置には、子機２を受け入れた際、子機２の基端部に設けられた位置決め孔３７に挿通可能な一対の位置決め突起２０、２０が上方へ突設されている。さらに、装着部１６の長手方向で中央稍軸支部１５寄りとなる位置には、受け入れた子機２を挟持するための弾性を有する一対の挟持片２１、２１が設けられている。
【００１６】
加えて、装着部１６の長手方向で反軸支部１５側の端部となる位置には、装着された子機２の先端部の上方を覆うカバー部２２が設けられている。また、カバー部２２の下方は、図６や図７に示す如く装着部１６の底部が切り欠かれて下方側へ開放した空間２３となっている。さらに、一対の当接リブ２４、２４が、外壁部の内面から空間２３内へ、装着部１６の長手方向と平行な方向（すなわち、操作部材３の回動軸方向に直交する方向）に沿って突設されている。さらにまた、底上げ部２６の周縁部で、操作部材３を取り付けた際に被係止部７、７の下方となる位置には、被係止部７、７に係止可能な係止爪２５、２５が設けられている。
【００１７】
次に、子機２について説明する。
図８は、子機２の外観を示した斜視説明図である。図９は、子機２を短軸方向から示した説明図である。
子機２は、断面視略楕円状に形成された柱状の胴部３１に、医療従事者を呼び出す際に使用する３つの押しボタン３２、３３、３４や、他の用途で使用するボタン３５、３６を設けてなるものであって、アタッチメント１に装着されていない状態においては、使用者は胴部３１を握り、所望のボタンを押し込み操作して使用するようになっている。そして、子機２では、胴部３１の先端面に第１の押しボタン３２が、胴部３１の長軸方向の両側面に第２の押しボタン３３及び第３の押しボタン３４が夫々設けられている。また、胴部３１の短軸方向における一方の側面にボタン３５、３６が設けられている。さらに、子機２のコード３８は、子機２の基端部に接続されている。そして、該基端部には、胴部３１の長軸方向が上下方向となる所定の姿勢とした際に、孔の貫通方向が上下方向となる位置決め孔３７が設けられている。
【００１８】
そして、上記アタッチメント１に子機２を装着するにあたっては、操作部材３を基台部材４から取り外し、子機２のコード３８をコード収納溝１８に収納してから、基台部材４に対して操作部材３を回動可能に取り付けるとともに、操作部材３を起立させた状態とし、装着部１６を露出させる。そして、子機２を、胴部３１に設けた何れか一方の押しボタン３３、３４が上方を向くような姿勢（すなわち、胴部３１の長軸方向が上下方向となる姿勢であり、当該姿勢が所定の姿勢となる）とし、装着部１６に装着する（図２等では、押しボタン３３が上方を向く姿勢となっている）。そして、操作部材３を回動させ、係止爪２５、２５を被係止部７、７に係止させることにより、子機２や底上げ部２６の上方を覆い、基台部材４に対して傾倒した状態とすれば、使用可能な状態となる。
【００１９】
この使用可能な状態においては、子機２の位置決め孔３７内に何れか一方の位置決め突起２０が挿通するとともに、十字リブ１１の第１リブと第２リブとの交差部が、基台部材４に装着されている子機２の基端部表面に上方から当接することで、子機２の装着部１６内での回転が防止されている。また、子機２の位置決め孔３７内に何れか一方の位置決め突起２０が挿通するとともに、カバー部２２の端部が子機２の胴部３１の先端側外周面に当接し、さらに当接リブ２４、２４が子機２の押しボタン３３を挟むような格好で先端面に当接することで、子機２の装着部１６内での先端−基端方向でのガタつきが防止されている。さらに、一対の挟持片２１、２１が自身の弾性力により胴部３１を挟み込むことで、子機２の装着部１６からの脱落が防止されている。
【００２０】
加えて、上記使用可能な状態においては、操作部５の内面側に取り付けられている押し込み部材８の押し込み片９が、子機２の押しボタン３３の上面に当接している（図１０）。そして、当該使用状態にあるアタッチメント１に対し、使用者が操作部材３を押し下げ操作すると、押し込み片９による押しボタン３３の押し込みに先んじて撓み片１０、１０が下方へ撓む（図１１）。その後、押し込み片９が下方へ移動し、該押し込み片９により押しボタン３３が押し込み操作されることになる。なお、操作部材３の押し下げ操作が解除されると、押しボタン３３の復帰力により押しボタン３３及び操作部材３は押し下げ操作前の位置へ復帰する。
【００２１】
以上のような構成を有するアタッチメント１によれば、胴部３１に設けられた押しボタン３３を上方へ向けた姿勢で子機２を装着可能な基台部材４と、装着された子機２の上方を覆うとともに、下方へ押し下げ操作可能に基台部材４に取り付けられる操作部材３とを有しており、操作部材３の押し下げ操作に伴い、間接的に子機２の押しボタン３３を押し込み操作可能としている。したがって、子機２の胴部３１を把持せずとも、操作部材３を押し下げ操作するだけで子機２の押しボタン３３を操作することができ、子機２の胴部３１を把持できない患者や把持力の弱い患者であっても、子機の押しボタン３３を容易に操作することができる。
【００２２】
また、子機２に位置決め孔３７を、基台部材４に位置決め突起２０、２０を夫々設けるとともに、操作部材３の内面側に十字リブ１１を設けており、子機２が装着されたアタッチメント１の使用状態において、位置決め孔３７に位置決め突起２０が挿通し、且つ、十字リブ１１が子機２の基端部表面に当接することで、子機２の装着部１６内での回転が防止されている。したがって、操作部材３の押し下げ操作に伴い、押しボタン３３を確実に押し込み操作させることができる。
【００２３】
さらに、基台部材４に当接リブ２４、２４を設けており、子機２が装着されたアタッチメント１の使用状態において、位置決め孔３７に位置決め突起２０が挿通し、且つ、当接リブ２４、２４が子機２の先端面に当接することで、子機２の装着部１６内での先端−基端方向でのガタつきが防止されている。したがって、操作部材３の押し下げ操作に伴い、押しボタン３３を一層確実に押し込み操作させることができる。
【００２４】
さらにまた、基台部材４にカバー部２２を設けており、子機２を装着した際に、子機２の先端部を覆うとともに、カバー部２２の端部が子機２の胴部３１の先端側外周面に当接するようになっている。したがって、操作部材３の押し下げ操作時等に、子機２の先端に設けられた押しボタン３２が不用意に操作されにくい上、子機２の装着部１６内での先端−基端方向でのガタつきを一層確実に防止することができる。
【００２５】
またさらに、装着部１６の形状を、子機２の胴部３１に設けられた押しボタン３３、３４が上方を向く所定の姿勢とした際にのみ受け入れ可能な形状としている。したがって、押しボタン３３、３４以外のボタン３５、３６が上方を向くような姿勢で装着してしまうような事態の発生を防止することができる。
【００２６】
加えて、上方へ膨出する帯状に形成された押し込み片９と、所定方向へ長い平らな帯状に形成された一対の撓み片１０、１０とを備えた押し込み部材８を、使用状態において押し込み片９が押しボタン３３に当接するように、操作部材３の内面側に取り付けている。そして、操作部材３が押し下げ操作された際、まず撓み片１０、１０が下方へ撓んだ後、押し込み片９が下方へ移動し、該押し込み片９により押しボタン３３が押し込み操作されるようにしている。したがって、押し込み部材８を介在させない場合と比較して、押しボタン３３を押し込み操作するまでの操作部材３の押し下げ量（ストローク）が長くなるため、操作部材３を操作したという感触を使用者に与えることができる。
【００２７】
なお、本発明に係るアタッチメントは、上記実施形態の態様に何ら限定されるものではなく、全体的な構成は勿論、子機の装着等に係る構成について、本発明の趣旨を逸脱しない範囲で、必要に応じて適宜変更することができる。
【００２８】
たとえば、上記実施形態では、押し込み部材８を取り付けることで、操作部材３の押し下げ操作に伴い、子機２の押しボタン３３が間接的に押し込み操作されるように構成しているが、押し込み部材８を取り付けず、操作部材３の内面側に、使用状態において押しボタン３３に当接する操作突起等を設けることで、操作部材３の押し下げ操作に伴い、子機２の押しボタン３３が直接的に押し込み操作されるように構成することも可能である。
【００２９】
また、十字リブやカバー部の有無等については適宜変更可能であるし、装着部の形状等についても設計変更可能である。
さらに、子機についても、胴部に押しボタンが設けられているのであれば、その数等については適宜変更可能である。
加えて、上記実施形態では、ナースコールシステムに使用する子機に装着するとしているが、他のシステムに使用する子機に対しても当然適用可能である。
【符号の説明】
【００３０】
１・・アタッチメント、２・・子機、３・・操作部材、４・・基台部材、５・・操作部、８・・押し込み部材、１６・・装着部、２０・・位置決め突起、２１・・挟持片、２２・・カバー部、２４・・当接リブ、２６・・底上げ部、３１・・胴部、３２、３３、３４・・押しボタン、３５、３６・・ボタン、３７・・位置決め孔。
【図１】
2015066226.tif 000003
【図２】
2015066226.tif 000004
【図３】
2015066226.tif 000005
【図４】
2015066226.tif 000006
【図５】
2015066226.tif 000007
【図６】
2015066226.tif 000008
【図７】
2015066226.tif 000009
【図８】
2015066226.tif 000010
【図９】
2015066226.tif 000011
【図１０】
2015066226.tif 000012
【図１１】
2015066226.tif 000013